(57)【特許請求の範囲】
【請求項１】
上部に連結部が形成された本体部と、
上部に前記連結部と連結する回転部が形成され、前記本体部の前面側に配置されて、前記回転部を支点に開閉可能なパネルと、
ディスクを挿抜するディスク挿抜口が形成され、前記ディスク挿抜口側を前面にし、車両に設置された際に前記ディスク挿抜口へのディスクの挿抜方向が水平となるように、傾けて前記本体部下部に収納されたディスク再生装置と、
前記本体部から突没する先端部が前記回転部より下位において前記パネルの背面側に連結されたアームと、
前記連結部には前記パネルを閉方向に付勢するバネと、
前記回転部を支点に付近を経由して前記パネルと前記本体部とを接続するケーブルとを備え、
前記アームの前後動作により前記パネルが開閉する
ことを特徴とするパネル装置。
【発明の詳細な説明】
【技術分野】
【０００１】
この発明は、例えば、パネルを開閉させてディスク挿抜口を露出させることによりディスクの挿抜を行う車載用のパネル装置に関するものである。
【背景技術】
【０００２】
従来のパネル装置は、ＣＤ，ＤＶＤ等のディスクを挿抜するディスク挿抜口を前面上部に有した本体部と、本体部の前面側に開閉可能に配置されたパネルとを備えている。また、パネルの下部には、本体部から突没するアームが取り付けられている（例えば、特許文献１参照）。
【０００３】
上記のパネル装置においてディスクの挿抜を行う際には、アームを本体部から突出させてパネルの下部を前面側にスライドさせてパネルを倒す。これにより本体部の上部に設けられたディスク挿抜口を露出させて、ディスクの挿抜を行っている。
【先行技術文献】
【特許文献】
【０００４】
【特許文献１】特開２００１−６３４０２号公報
【発明の概要】
【発明が解決しようとする課題】
【０００５】
しかしながら、特許文献１に開示される従来のパネル装置を車両に設置した際に、車両の設計上、パネル装置の前面側が上向きに傾いて設置される場合が多い。このように上向きに傾いたパネル装置においてディスクの挿抜を行う場合、ディスクの挿抜も上向きで行う必要があり、また、ディスク挿抜口の下部側にはパネルが上向きに突出しているため邪魔になり、ディスクの挿抜が非常に行いにくいという課題があった。
【０００６】
また、パネルには、本体部と電気的に接続するためのフラットケーブルが取り付けられている。しかしながら、このフラットケーブルは、パネルが開閉動作を行う度に大きく屈曲動作を繰り返すため、破損、断線等が生じやすいという課題があった。
【０００７】
この発明は、上記のような課題を解決するためになされたもので、パネル装置が上向きに傾いた状態で設置された際に、ディスクの挿抜を容易に行うことができるパネル装置を提供することを目的としている。
【課題を解決するための手段】
【０００８】
この発明に係るパネル装置は、上部に連結部が形成された本体部と、上部に連結部と連結する回転部が形成され、本体部の前面側に配置されて、回転部を支点に開閉可能なパネルと、ディスクを挿抜するディスク挿抜口が形成され、ディスク挿抜口側を前面にし、車両に設置された際にディスク挿抜口へのディスクの挿抜方向が水平となるように、傾けて本体部下部に収納されたディスク再生装置と、本体部から突没する先端部が回転部より下位においてパネルの背面側に連結されたアームと、連結部にはパネルを閉方向に付勢するバネと、回転部を支点に付近を経由してパネルと本体部とを接続するケーブルとを備え、アームの前後動作によりパネルが開閉することを特徴とするものである。
【発明の効果】
【０００９】
この発明によれば、上記のように構成したので、ディスク挿抜口を形成したディスク再生装置を本体部下部に収納し、本体部の前面側に配置したパネルを上部に形成した回転部を支点に開閉させることで、パネル装置が上向きに傾いた状態で設置された際にも容易にディスクの挿抜を行うことができる。
【図面の簡単な説明】
【００１０】
【図１】この発明の参考例に係るパネル装置の構成を示す一部を断面にした図である。
【図２】この発明の参考例に係る車両に設置されたパネル装置のディスク挿抜を説明する図である。
【図３】この発明の実施の形態２に係るパネル装置の構成を示す一部を断面にした図である。
【図４】この発明の実施の形態２に係る車両に設置されたパネル装置のディスク挿抜を説明する図である。
【発明を実施するための形態】
【００１１】
以下、この発明の実施の形態について図面を参照しながら詳細に説明する。
参考例．
車載用のパネル装置は、図１に示すように、本体部１、パネル２、ディスク再生装置３、バネ４、アーム５及びフラットケーブル６から構成される。
【００１２】
本体部１は、パネル装置の各部の動作を制御する不図示の制御部、ディスク再生装置３、アーム５、フラットケーブル６、アーム５を突没させる不図示の案内機構等を収納したものである。この本体部１上部の内側両側面には、パネル２の後述する回転部２２と連結する連結部１１が形成されている。
【００１３】
パネル２は、ナビゲーション、ＤＶＤ等の映像を表示するディスプレイ２１を前面に有するものであり、本体部１の前面側に開閉可能に配置されている。このパネル２両側面の背面側上部には連結部１１と連結する回転部２２が形成され、パネル２は回転部２２を支点に回動することにより開閉動作を行う。また、パネル２両側面の背面側には、回転部２２より下位に、アーム５を回動可能に支持する軸２３が形成されている。
【００１４】
ディスク再生装置３はＣＤ，ＤＶＤ等のディスクを再生するものである。このディスク再生装置３の前面下部には、ディスクを挿抜するためのディスク挿抜口３１が形成されている。このディスク再生装置３は、ディスク挿抜口３１側を前面にして本体部１下部に収納されている。
バネ４は、パネル２を常に閉方向に付勢するものであり、回転部２２に取り付けられている。
【００１５】
アーム５は、パネル２両側面に１本ずつ設けられるものであり、不図示の案内機構に支持され、先端部には軸２３と連結する孔部５１が形成されている。このアーム５は、案内機構によりスライドされ、先端部が本体部１から突没されることによりパネル２を開閉させる。
フラットケーブル６は、回転部２２付近を経由して本体部１とパネル２とを電気的に接続するものである。
【００１６】
次に上記のように構成されたパネル装置の動作について説明する。
図２は、パネル装置が車両に設置された際にパネル装置の前面側が上向きに傾いた状態を示したものである。
この状態において、案内機構によりアーム５の先端部を本体部１前面側から突出させると、パネル２は上部の回転部２２を支点に上向きに回動して開状態となる。このパネル２の開動作により、ディスク再生装置３の下部に形成されたディスク挿抜口３１が露出し、突出したパネル２が邪魔になることなくディスクの挿抜を行うことができる。
ディスクの挿抜を行った後、案内機構によりアーム５の先端部を本体部１に没入させると、パネル２は回転部２２を支点に反対方向に回動して閉状態となる。
【００１７】
以上のように、この発明の参考例によれば、ディスクの挿抜を行う際に、パネルの上部の回転部２２を支点にパネル２を回動させて、ディスク再生装置３の下部に形成したディスク挿抜口３１を露出させるように構成したので、パネル装置が上向きに傾いた状態で車両に設置された場合においても、突出したパネル２が邪魔になることがなく容易にディスクの挿抜を行うことができる。
【００１８】
また、フラットケーブル６は、パネル２の回転支点である回転部２２付近を経由して本体部１とパネル２とを接続するように構成したので、パネル２の開閉動作によって生じるフラットケーブル６の屈曲動作を緩和させることができ、フラットケーブル６の破損、断線等の発生を低減させることができる。
さらに、パネル２を常に閉方向に付勢するバネ４を設けるように構成したので、パネル装置に振動等が加えられた際にもパネル２のがたつきを防止することができる。
【００１９】
実施の形態２．
参考例では、ディスク挿抜口３１が形成されたディスク再生装置３を本体部１に対して水平に収納したが、実施の形態２では、図３，４に示すように、パネル装置が上向きに傾いて車両に設置された際にディスク再生装置３（ディスク挿抜口３１）が水平となりディスクの挿抜方向が水平となるように、このディスク再生装置３を本体部１に対して前面側を下向きに傾けて収納したものである。
このようにディスク再生装置３を、車両に設置された際のパネル装置の傾きに合わせて傾けて配置することによって、ディスク挿抜口３１へのディスクの挿抜方向を水平にすることができ、ディスクの挿抜をさらに行いやすくすることができる。
【図１】
0005393808.tif 000002
【図２】
0005393808.tif 000003
【図３】
0005393808.tif 000004
【図４】
0005393808.tif 000005